(57)【要約】【課題】メダル払出口26から挿入した長尺の部材によりメダルセレクター50やリセットスイッチ44等に対して行われる不正行為を防止する。【解決手段】前扉12に設けたメダル投入口21と、前扉12におけるメダル投入口21よりも下方に設けたメダル払出口26と、メダル投入口21から投入されたメダルが所定の規格に適合するか否かの選別を行うためのものであって前扉12の裏面に設けたメダルセレクター50と、メダルセレクター50により所定の規格に適合しないとして排除されたメダルをメダル払出口26まで誘導するメダル返却通路を形成するためのものであって前扉12の裏面に沿って設けたメダルシュート70と、メダル払出口26からメダル返却通路内へ挿入された長尺の部材がメダルセレクター50とメダルシュート70との間からメダル返却通路外へ侵出するのを阻止するためのものであってメダルセレクター50とメダルシュート70との間に設けた不正防止部材80とを備える。【選択図】図１
2010246827.tif 000002
【特許請求の範囲】
【請求項１】
前面に開口部を有する箱型の筐体と、
筐体前面の開口部を開閉可能に塞ぐ前扉と、
前扉の所定位置に設けられるメダル投入口と、
前扉におけるメダル投入口よりも下方の所定位置に設けられるメダル払出口と、
メダル投入口から投入されたメダルが所定の規格に適合するか否かの選別を行うためのものであって前扉の裏面におけるメダル投入口に対応する位置に設けられるメダルセレクターと、
メダルセレクターにより所定の規格に適合しないとして排除されたメダルを受け入れてメダル払出口まで誘導するメダル返却通路を形成するためのものであって前扉の裏面に沿って設けられるメダルシュートとを備えた遊技機であって、
メダルセレクターとメダルシュートとの間に、メダル払出口からメダル返却通路内へ挿入された長尺の部材がメダルセレクターとメダルシュートとの間からメダル返却通路外へ侵出するのを阻止するための不正防止部材を備えていることを特徴とする遊技機。
【請求項２】
不正防止部材は、
メダルセレクターの下端とメダルシュートの上端との間に配置されてこれらに挟まれる天板部と、
天板部からメダルシュートの内方かつ下方へ向けて斜めに延びる返し部と、
天板部からメダルシュートの外面に沿うようにして下方へ向けて延びる係止部と、
を有していることを特徴とする請求項１記載の遊技機。
【請求項３】
前扉を筐体に回動可能に取り付けるためのものであって筐体の一方の側部と前扉の一方の側部とに跨って設けられるヒンジと、
筐体に対して前扉をロックするためのものであって前扉におけるヒンジとは反対側の側部に設けられる施錠装置とを備え、
施錠装置は、前扉の裏面におけるヒンジとは反対側の側部に設けられる支持部材と、
支持部材におけるメダルセレクターに隣接する位置に設けられるリセットスイッチと、
リセットスイッチを作動させる位置またはリセットスイッチを作動させない位置へ変位可能に支持部材に設けられているスイッチ操作部材と、
鍵軸を一方向へ回動させると、筐体に対する前扉のロックを解除し、それとは反対方向へ鍵軸を回動させると、リセットスイッチを作動させる位置へスイッチ操作部材を変位させるためのものであって支持部材の所定位置に設けられるシリンダ錠と、を備え、
不正防止部材は、リセットスイッチを覆う覆い部を有していることを特徴とする請求項１または２記載の遊技機。
【発明の詳細な説明】
【技術分野】
【０００１】
本発明は、メダルを遊技媒体とする遊技機に関し、さらに詳しくは、メダル払出口から挿入した長尺の部材によりメダルセレクターやリセットスイッチ等に対して行われる不正行為を防止するようにした遊技機に関する。
【背景技術】
【０００２】
メダルを遊技媒体とする遊技機として、スロットマシンがある。
スロットマシンは、メダルを投入するためのメダル投入口と、メダル投入口から投入されたが所定の規格に適合するか否かの選別を行うためのメダルセレクターと、メダルセレクターにより所定の規格に適合するとされたメダルを貯留するとともに所定の条件に基づいて貯留しているメダルを払い出すためのメダルホッパーと、メダルホッパーから払い出されたメダルを排出するためのメダル払出口と、メダルセレクターにより所定の規格に適合しないとされたメダルをメダル払出口まで誘導するメダル返却通路を形成するためのメダルシュートとを備えている。
【０００３】
また、メダルセレクターは、メダルを案内するためのメダル案内通路を有し、また、メダル案内通路の上流側には、所定の規格に適合しないメダルを排除するためのメダル選別手段を有し、また、メダル案内通路の中間部には、メダルを強制的に排除するためのメダル排除手段を有し、また、メダル案内通路の下流側には、メダルの通過を検出するためのメダル検出手段を有している。
そして、メダル検出手段によってメダルが検出されると、このメダルが遊技に使用可能なメダルとしてカウントされるようになっている。
ここで、スロットマシンでは、メダルの投入の煩わしさから遊技者を解放するため、クレジット機能を設けている。また、クレジット機能は、次のようなものである。遊技の開始に先立ち、ある程度まとまった枚数のメダルをメダル投入口にあらかじめ投入しておくと、これらのメダルがメダル検出手段によって検出され、このとき出力されるメダル検出信号に基づいて、クレジットメダルカウント手段がカウント動作を行う。つまり、メダルがクレジットされる。また、クレジットメダルカウント手段のカウント値は、スロットマシンの前面に設けた７セグメントＬＥＤに表示される。また、メダルがクレジットされているときに、スロットマシンの前面に設けたベットスイッチを操作すると、メダル投入口からのメダルの投入に代えて、クレジットされているメダルが投入されるとともに、クレジットされているメダルを投入した分だけ、クレジットメダルカウント手段のカウント値が減算される。また、７セグメントＬＥＤには、減算後のカウント値が表示される。そして、クレジットされているメダルを投入した場合にも、メダル投入口からメダルを投入した場合と同様に、遊技を行うことができる。また、クレジットメダルカウント手段のカウント値が０になる前に遊技を終えたいときには、精算スイッチを操作する。そうすると、クレジットされているメダルが払い出されるとともに、クレジットメダルカウント手段のカウント値が０になる。
【０００４】
またここで、メダル検出手段は、メダル案内通路におけるメダルの正規の進行方向に沿って並列に設けた２個のフォトセンサーから構成されている。メダル案内通路の上流側に設けられるのが第１フォトセンサーであり、下流側に設けられるのが第２フォトセンサーである。また、各フォトセンサーは、検出光を発する発光部と、発光部から発せられた検出光を受ける受光部とを有する反射型フォトセンサーであり、発光部から発せられ、メダルで反射した検出光を、受光部で検出することにより、メダル案内通路を通過するメダルを検出するようにしている。第１フォトセンサーが先にメダルを検出し、その直後に第２フォトセンサーがメダルを検出すれば、メダルの進行方向は正常であるが、第２フォトセンサーが先にメダルを検出し、その直後に第１フォトセンサーがメダルを検出すると、メダルの進行方向は異常である。
【０００５】
このように、メダル検出手段を２個のフォトセンサーで構成することにより、メダルの通過のみならず、メダルの進行方向をも検出可能にしている。そうすると、「糸つり」などと呼ばれる不正行為を防止できる。なお、「糸つり」とは、糸を括り付けたメダルをメダル投入口から投入し、糸を操ることでメダルがメダル検出手段の前後を往復するようにして、クレジットメダルカウント手段のカウント値を不正に加算するものである。
また、近年、「クレ満」などと呼ばれる不正器具を用いた不正行為が問題となっている。「クレ満」は、長尺の板状部材の先端付近に、フォトセンサーの発光部から発せられる検出光と同質の光を発するＬＥＤを複数個並べたものであり、これをメダル投入口からメダル案内通路に挿入し、その先端付近をメダル検出手段のあたりに位置させ、メダルの通過と同じようなタイミングで、上流側のものから順に、ＬＥＤを一時的に点灯させることにより、あたかも上流側から下流側へ向けてメダルがメダル案内通路を通過したかのような状態を作り出し、各フォトセンサーに誤作動を起こさせて、クレジットメダルカウント手段のカウント値を不正に加算するものである。
【０００６】
なお、メダル払出口への異物の挿入を検知したり阻止したりする先行技術としては、例えば、下記の特許文献１ないし３がある。
【先行技術文献】
【特許文献】
【０００７】
【特許文献１】特開２００８−２４５７５８号公報
【特許文献２】特開２００８−２３７６３７号公報
【特許文献３】特開２００６−１９８０８９号公報
【発明の概要】
【発明が解決しようとする課題】
【０００８】
ところで、「クレ満」を用いた不正行為は、メダル投入口を介してのみならず、メダル払出口を介して行われる可能性もある。
またここで、スロットマシンの中には、「クレ満」を用いた不正行為を検知するための不正検知手段と、この不正検知手段により不正行為が検知されるとエラー報知を行うエラー報知手段とを備えるとともに、前扉の施錠装置に、スロットマシンをリセットするためのリセットスイッチを備えたものがある。
このようなスロットマシンでは、メダル払出口から長尺の部材を挿入し、この長尺の部材の先端でリセットスイッチに誤作動を起こさせて、スロットマシンをリセットすることにより、エラー報知手段によるエラー報知のリセットを行いながら、「クレ満」を用いた不正行為を継続する、極めて悪質なケースも発生している。
【０００９】
そこで、本発明は、メダル払出口から挿入した長尺の部材によりメダルセレクターやリセットスイッチ等に対して行われる不正行為を防止することを目的とする。
【課題を解決するための手段】
【００１０】
（請求項１）
請求項１記載の発明は、前面に開口部を有する箱型の筐体11と、筐体11前面の開口部を開閉可能に塞ぐ前扉12と、前扉12の所定位置に設けられるメダル投入口21と、前扉12におけるメダル投入口21よりも下方の所定位置に設けられるメダル払出口26と、メダル投入口21から投入されたメダルが所定の規格に適合するか否かの選別を行うためのものであって前扉12の裏面におけるメダル投入口21に対応する位置に設けられるメダルセレクター50と、メダルセレクター50により所定の規格に適合しないとして排除されたメダルを受け入れてメダル払出口26まで誘導するメダル返却通路を形成するためのものであって前扉12の裏面に沿って設けられるメダルシュート70とを備えた遊技機であって、メダルセレクター50とメダルシュート70との間に、メダル払出口26からメダル返却通路内へ挿入された長尺の部材がメダルセレクター50とメダルシュート70との間からメダル返却通路外へ侵出するのを阻止するための不正防止部材80を備えていることを特徴とする。
【００１１】
（請求項２）
請求項２記載の発明は、請求項１記載の発明の特徴点に加え、不正防止部材80は、メダルセレクター50の下端とメダルシュート70の上端との間に配置されてこれらに挟まれる天板部81と、天板部81からメダルシュート70の内方かつ下方へ向けて斜めに延びる返し部82と、天板部81からメダルシュート70の外面に沿うようにして下方へ向けて延びる係止部83と、を有していることを特徴とする。
（請求項３）
請求項３記載の発明は、請求項１または２記載の発明の特徴点に加え、前扉12を筐体11に回動可能に取り付けるためのものであって筐体11の一方の側部と前扉12の一方の側部とに跨って設けられるヒンジと、筐体11に対して前扉12をロックするためのものであって前扉12におけるヒンジとは反対側の側部に設けられる施錠装置40とを備え、施錠装置40は、前扉12の裏面におけるヒンジとは反対側の側部に設けられる支持部材41と、支持部材41におけるメダルセレクター50に隣接する位置に設けられるリセットスイッチ44と、リセットスイッチ44を作動させる位置またはリセットスイッチ44を作動させない位置へ変位可能に支持部材41に設けられているスイッチ操作部材45と、鍵軸を一方向へ回動させると、筐体11に対する前扉12のロックを解除し、それとは反対方向へ鍵軸を回動させると、リセットスイッチ44を作動させる位置へスイッチ操作部材45を変位させるためのものであって支持部材41の所定位置に設けられるシリンダ錠47と、を備え、不正防止部材80は、リセットスイッチ44を覆う覆い部85を有していることを特徴とする。
【発明の効果】
【００１２】
（請求項１）
請求項１記載の発明によれば、メダル払出口からメダル返却通路内へ長尺の部材を挿入されても、その先端がメダルセレクターとメダルシュートとの間からメダル返却通路外へ侵出するのを不正防止部材によって阻止されることから、メダルセレクターやリセットスイッチ等に対して行われる不正行為を防止できる。
（請求項２）
請求項２記載の発明によれば、請求項１記載の発明の効果に加え、メダル払出口からメダル返却通路内へ挿入された長尺の部材の先端が、不正防止部材の返し部に突き当たり、ひいてはメダルシュートと不正防止部材の返し部との間にトラップされるので、メダルセレクターやリセットスイッチ等に対して行われる不正行為をより確実に防止できる。
【００１３】
（請求項３）
請求項３記載の発明によれば、請求項１または２記載の発明の効果に加え、リセットスイッチが、不正防止部材に設けた覆い部によって覆われることから、リセットスイッチに対して行われる不正行為をより確実に防止できる。
【図面の簡単な説明】
【００１４】
【図１】本発明の実施の形態に係る遊技機の外観斜視図
【図２】本発明の実施の形態に係る遊技機の内部正面図
【図３】本発明の実施の形態に係る遊技機の不正防止部材の背面図
【図４】本発明の実施の形態に係る遊技機の不正防止部材の右側面図
【図５】本発明の実施の形態に係る遊技機の不正防止部材を右下後方から見た斜視図
【図６】本発明の実施の形態に係る遊技機の不正防止部材を右下前方から見た斜視図
【図７】本発明の実施の形態に係る遊技機の不正防止部材を装着した状態の斜視図
【図８】本発明の実施の形態に係る遊技機の不正防止部材を装着した状態の断面図
【図９】本発明の他の実施の形態に係る遊技機の不正防止部材を装着した状態の斜視図
【発明を実施するための形態】
【００１５】
図１〜図８に基づいて、本発明の実施の形態に係る遊技機について説明する。
以下、「前面」とは、遊技機において遊技を行う際に遊技者が向き合う面をいい、「右側」とは、遊技機の前面に向き合って遊技を行う遊技者から見て右側をいい、「左側」とは、遊技機の前面に向き合って遊技を行う遊技者から見て左側をいう。
（遊技機）
本実施の形態に係る遊技機は、スロットマシン10である。
このスロットマシン10は、前面に開口部を有する箱型の筐体11と、筐体11前面の開口部を開閉可能に塞ぐ前扉12とを備えている。
【００１６】
また、筐体11は、底板、右側板、左側板、天板および背板を備え、前面に開口部を有する箱型をしている。また、筐体11内部における、上下のほぼ中間位置には、右側板と左側板との間に水平に架け渡すようにして、中板が設けられている。
また、筐体11内部における、中板よりも上側には、中板の上面中央に固定するようにして、３個の回転リール17を横並びに設けたリールユニット16が設けられるとともに、背板に固定するようにして、スロットマシン10を制御するための制御装置が設けられ、また、筐体11内部における、中板よりも下側には、底板の上面中央に固定するようにして、投入されたメダルを貯留するとともに貯留しているメダルを払い出すためのメダルホッパー18が設けられるとともに、底板の上面左側に固定するようにして、スロットマシン10が備える各装置に電力を供給するための電源ユニットが設けられている。
【００１７】
また、筐体11の左側板の前端部と前扉12の左側の側部とに跨って、つまり、筐体11の一方の側部と前扉12の一方の側部とに跨って、ヒンジが設けられ、このヒンジにより、前扉12が筐体11に回動可能に取り付けられており、また、このヒンジを中心にして、前扉12が筐体11に対して回動することにより、筐体11前面の開口部を開閉するようにしている。
また、筐体11の右側板の前端部には、つまり、筐体11におけるヒンジとは反対側の側部には、前扉12のロック（施錠）に用いられる受金具30が設けられ、この受金具30に、係合片31が設けられている。
また、前扉12の裏面における右側の側部には、つまり、前扉12の裏面におけるヒンジとは反対側の側部には、係合片31と対向するようにして、筐体11に対して前扉12をロックするための施錠装置40が設けられている。
【００１８】
また、前扉12の上部中央には、演出用ランプが設けられ、また、前扉12の上部中央における演出用ランプの下側には、液晶ディスプレイが設けられ、また、前扉12の上部における液晶ディスプレイの左右両側には、スピーカがそれぞれ設けられている。
また、前扉12の前面上部には、上パネル13が備えられ、また、前扉12の前面下部には、下パネル14が備えられ、また、前扉12の前面における、上パネル13と下パネル14との間には、前方へ向けて突出する操作部20が設けられている。
また、上パネル13のほぼ中央には、各回転リール17の周囲に付されている図柄を遊技者に見せるための図柄表示窓15が設けられ、また、下パネル14には、当該スロットマシン10の機種名のロゴやイメージキャラクターなどが表示されている。
【００１９】
また、操作部20の上面右側には、メダルを投入するためのメダル投入口21が設けられ、また、操作部20の上面左側には、クレジットされているメダルをベットするためのベットスイッチ22が設けられ、また、操作部20の前面左側には、クレジットされているメダルを返却するためのキャンセルスイッチ23、および回転リール17の回転を開始させるためのスタートスイッチ24が設けられ、また、操作部20の前面中央には、回転リール17の回転を停止させるための３個のストップスイッチ25が横並びに設けられている。
また、前扉12の下部中央であって、メダル投入口21よりも下方の位置には、前扉12を前後に貫通するようにして、メダルを払い出すためのメダル払出口26が設けられ、また、前扉12の前面下部における、メダル払出口26の下方には、メダル払出口26から払い出されたメダルを受け止めて貯留するためのメダル受け皿27が設けられている。
【００２０】
また、前扉12の裏面における、メダル投入口21に対応する位置、より具体的には、メダル投入口21の後下方に相当する位置には、メダル投入口21から投入されたメダルが所定の規格に適合するものか否かの選別を行うためのメダルセレクター50が取り付けられている。
また、前扉12の裏面における、メダルセレクター50からメダル払出口26にかけての位置には、前扉12の裏面に沿うようにして、メダルシュート70が設けられている。このメダルシュート70は、メダルセレクター50により所定の規格に適合しないとして排除されたメダルを受け入れてメダル払出口26まで誘導するメダル返却通路を形成するためのものである。
【００２１】
（受金具30）
受金具30は、前扉12のロック（施錠）に用いられるものであって、上下方向に延びる板状に形成されており、筐体11の右側板の前端部に沿って設けられている。そして、この受金具30の上端付近および下端付近に、それぞれ係合片31が設けられている。
（施錠装置40）
施錠装置40は、筐体11に対して前扉12が開かないようにロック（施錠）するためのものであって、支持部材41と、支持部材41に摺動可能に取り付けられるスライド部材42と、スライド部材42の摺動に伴って係合片31と係合する位置と係合片31との係合が解除される位置とに変位可能に形成されているフック43と、フック43が係合片31と係合する位置へ変位するようにスライド部材42を付勢する第１付勢部材と、支持部材41の所定位置に設けたリセットスイッチ44と、支持部材41に摺動可能に取り付けられリセットスイッチ44を作動させる位置とリセットスイッチ44を作動させない位置とに変位可能に形成されているスイッチ操作部材45と、リセットスイッチ44を作動させない位置へスイッチ操作部材45を付勢する第２付勢部材と、支持部材41の所定位置に設けたシリンダ錠47と、スライド部材42およびスイッチ操作部材45を変位させるためのものであってシリンダ錠47の鍵軸とともに回動するカム48とを備えている。
【００２２】
また、支持部材41は、上下方向に延びる板状に形成されており、前扉12の裏面における右側の側部、つまり、ヒンジとは反対側の側部に沿って取り付けられている。
また、スライド部材42は、上下方向に延びる板状に形成されており、支持部材41の所定位置に、支持部材41に対して上下方向に摺動可能に取り付けられている。
また、フック43は、筐体11側に設けた係合片31と係合することにより、筐体11に対して前扉12をロック（施錠）するためのものであって、上記の各係合片31にそれぞれ対応して設けられている。また、各フック43は、支持部材41における、各係合片31に対向する位置に、支持部材41に対して回動可能に軸支されており、さらには、スライド部材42の上下方向の摺動に伴って、係合片31と係合する位置または係合片31との係合が解除される位置へ変位可能に形成されている。
【００２３】
具体的には、本実施の形態では、スライド部材42が下方へ摺動すると、各フック43と各係合片31とが係合し、一方、スライド部材42が上方へ摺動すると、各フック43と各係合片31との係合が解除される。そして、各フック43と各係合片31とが係合すると、筐体11に対して前扉12がロック（施錠）され、一方、各フック43と各係合片31との係合が解除されると、筐体11に対する前扉12のロック（施錠）が解除される。
また、第１付勢部材は、フック43が係合片31と係合する位置へ変位するように、つまり、フック43と係合片31とが係合するように、スライド部材42を付勢するためのものである。
【００２４】
上述したように、本実施の形態では、スライド部材42が下方へ摺動すると、各フック43と各係合片31とが係合し、一方、スライド部材42が上方へ摺動すると、各フック43と各係合片31との係合が解除されることから、第１付勢部材は、スライド部材42を下方へ付勢するようにしている。これにより、常態では、スライド部材42が下方へ摺動し、各フック43と各係合片31とが係合して、筐体11に対して前扉12がロック（施錠）されるようになっている。また、第１付勢部材としては、支持部材41に対してスライド部材42を下方へ付勢するように、一端を支持部材41に係止させ、他端をスライド部材42に係止させた、コイルバネを用いている。
【００２５】
また、リセットスイッチ44は、スロットマシン10をリセットするためのものであって、支持部材41における、メダルセレクター50に隣接する位置に取り付けられている。
また、スイッチ操作部材45は、リセットスイッチ44を操作するためのものであって、上下方向に延びる板状に形成されており、支持部材41の所定位置に、支持部材41に対して上下に摺動可能に取り付けられており、さらには、リセットスイッチ44を作動させる位置またはリセットスイッチ44を作動させない位置へ変位可能に形成されている。
具体的には、本実施の形態では、リセットスイッチ44として、フォトセンサーを用いている。このフォトセンサーは、検出光を発する発光部と、発光部から発せられた検出光を受ける受光部とを有している。そして、発光部から発せられた検出光が受光部に届いている間は、リセット信号は出力されず、一方、発光部から発せられた検出光が受光部に届かなくなると、リセット操作が行われたものとして、リセットスイッチ44が作動して、リセット信号が出力されるようにしている。
【００２６】
また、スイッチ操作部材45は、その下端部に、遮光片46を有している。そして、スイッチ操作部材45が下方へ摺動すると、リセットスイッチ44としてのフォトセンサーの発光部と受光部との間に遮光片46が位置して、発光部から発せられた検出光が受光部に届かなくなり、逆に、スイッチ操作部材45が上方へ摺動すると、リセットスイッチ44としてのフォトセンサーの発光部と受光部との間から遮光片46が退いて、発光部から発せられた検出光が受光部に届くようになる。
また、第２付勢部材は、リセットスイッチ44を作動させない位置へ変位するように、スイッチ操作部材45を付勢するためのものである。
【００２７】
上述したように、本実施の形態では、スイッチ操作部材45が下方へ摺動すると、リセットスイッチ44としてのフォトセンサーの発光部と受光部との間に遮光片46が位置して、発光部から発せられた検出光が受光部に届かなくなり、リセット操作が行われたものとして、リセットスイッチ44が作動して、リセット信号が出力され、一方、スイッチ操作部材45が上方へ摺動すると、リセットスイッチ44としてのフォトセンサーの発光部と受光部との間から遮光片46が退いて、発光部から発せられた検出光が受光部に届くようになり、リセット信号は出力されないことから、第２付勢部材は、スイッチ操作部材45を上方へ付勢するようにしている。これにより、常態では、スイッチ操作部材45が上方へ摺動し、発光部と受光部との間から遮光片46が退いて、発光部から発せられた検出光が受光部に届くようにし、ひいてはリセットスイッチ44が作動しないようにしている。また、第２付勢部材としては、支持部材41に対してスイッチ操作部材45を上方へ付勢するように、一端を支持部材41に係止させ、他端をスイッチ操作部材45に係止させた、コイルバネを用いている。
【００２８】
また、シリンダ錠47は、支持部材41の所定位置、具体的には、前扉12の操作部20の裏側に相当する位置に設けられており、鍵穴に鍵を差し込んで回すと回動する鍵軸を備えている。
また、カム48は、スライド部材42およびスイッチ操作部材45を変位させるためのものであって、シリンダ錠47の鍵軸の後端に固定されており、シリンダ錠47の鍵軸とともに回動するようにしてある。そして、このカム48が一方向へ回動すると、第１付勢部材の付勢に抗して、係合片31との係合が解除される位置へフック43が変位するように、スライド部材42が摺動し、それとは反対方向へ回動すると、第２付勢部材の付勢に抗して、リセットスイッチ44が作動する位置へ、スイッチ操作部材45が摺動する。
【００２９】
つまり、シリンダ錠47の鍵軸を一方向へ回動させると、筐体11に対する前扉12のロックが解除され、それとは反対方向へ鍵軸を回動させると、リセットスイッチ44を作動させる位置へスイッチ操作部材45が変位する。
具体的には、本実施の形態では、シリンダ錠47の鍵穴に鍵を差し込んでこれを時計回り（右回り）に回すと、錠軸が時計回り（右回り）に回動するとともに、カム48も時計回り（右回り）に回動し、さらには、カム48の時計回り（右回り）の回動に伴って、スライド部材42が第１付勢部材の付勢に抗して上方へ摺動する。そうすると、各フック43と各係合片31との係合が解除されて、筐体11に対する前扉12のロック（施錠）が解除される。
【００３０】
一方、シリンダ錠47の鍵穴に鍵を差し込んでこれを反時計回り（左回り）に回すと、錠軸が反時計回り（左回り）に回動するとともに、カム48も反時計回り（左回り）に回動し、さらには、カム48の反時計回り（左回り）の回動に伴って、スイッチ操作部材45が第２付勢部材の付勢に抗して下方へ摺動する。そうすると、リセットスイッチ44としてのフォトセンサーの発光部と受光部との間に、スイッチ操作部材45の下端に設けた遮光片46が位置して、発光部から発せられた検出光が受光部に届かなくなり、リセット操作が行われたものとして、リセットスイッチ44が作動して、リセット信号が出力される。
（メダル投入口21）
メダル投入口21は、遊技を行うに際しメダルを投入するところであって、前扉12の所定位置、具体的には、操作部20の上面右側に設けられている。
【００３１】
また、メダル投入口21には、メダルを通過させることが可能な内寸のスリットが、その上部から下部まで至るように形成されている。そして、スリットの上側が、受入口として開口するとともに、スリットの下側が、排出口として開口している。これにより、受入口に投入されたメダルがスリットを通過して排出口から排出されるようになっている。
（メダルセレクター50）
メダルセレクター50は、メダル投入口21から投入されたメダルが所定の規格に適合するか否かの選別を行うためのものであって、前扉12の裏面における、メダル投入口21に対応する位置、より具体的には、メダル投入口21の下方に相当する位置に取り付けられている。
【００３２】
メダルセレクター50は、箱型のセレクタケース51と、セレクタケース51の背面に対して開閉可能に取り付けられたゲートプレート52と、ゲートプレート52を背面側から覆うようにセレクタケース51に取り付けられたセレクタカバー53とを備えている。セレクタケース51とセレクタカバー53とにより、メダルセレクター50は、外形は四角箱型に見える。
また、メダルセレクター50の上面右側には、メダル投入口21から投入されたメダルを受け入れるメダル入口が設けられており、メダルセレクター50を所定の取付位置に取り付けると、メダル投入口21の排出口とメダルセレクター50のメダル入口とが合致する。これにより、メダル投入口21の受入口から投入されたメダルがメダルセレクター50内へスムーズに流れるようになっている。また、メダルセレクター50の左面下側には、メダルホッパー18方向へ向けてメダルを排出するためのメダル出口が設けられている。そして、セレクタケース51とゲートプレート52との間には、メダル入口からメダル出口まで至るメダル案内通路が形成されている。
【００３３】
また、メダル案内通路は、「く」の字あるいは「Ｌ」の字のように途中で屈曲した形状に形成されており、メダル入口からほぼ鉛直下方へ向かう鉛直通路と、鉛直通路の下端から斜め下方へ向けて緩やかに傾斜する傾斜通路とからなる。
また、メダル入口付近には、所定の規格よりも直径が大きいメダルや、所定の規格よりも厚さが大きいメダルの通過を阻止する第１メダル選別手段が設けられている。
また、傾斜通路の上流側には、所定の規格よりも直径が小さいメダルや、所定の規格よりも厚さが小さいメダルをメダル案内通路から排除する第２メダル選別手段が設けられている。
【００３４】
また、傾斜通路の中間部には、第１メダル選別手段および第２メダル選別手段によって所定の規格に適合するとされたメダルを強制的に排除するメダル排除手段が設けられている。このメダル排除手段は、所定の規格に適合するものの投入不可とされているときに投入されたメダルをメダル案内通路から強制的に排除するものである。
また、傾斜通路の下流側には、メダルの通過を検出するためのメダル検出手段が設けられている。このメダル検出手段は、第１メダル選別手段、第２メダル選別手段およびメダル排除手段によって排除されることなくメダル案内通路の下流側まで到達したメダルの通過を検出するものである。
【００３５】
また、メダル検出手段は、メダル案内通路におけるメダルの正規の進行方向に沿って並列に設けた２個のフォトセンサーから構成されている。メダル案内通路の上流側に設けられるのが第１フォトセンサーであり、下流側に設けられるのが第２フォトセンサーである。また、各フォトセンサーは、検出光を発する発光部と、発光部から発せられた検出光を受ける受光部とを有する反射型フォトセンサーであり、発光部から発せられ、メダルで反射した検出光を、受光部で検出することにより、メダル案内通路を通過するメダルを検出するようにしている。第１フォトセンサーが先にメダルを検出し、その直後に第２フォトセンサーがメダルを検出すれば、メダルの進行方向は正常であるが、第２フォトセンサーが先にメダルを検出し、その直後に第１フォトセンサーがメダルを検出すると、メダルの進行方向は異常である。
【００３６】
そして、メダル検出手段によって進行方向が正常なメダルとして検出されると、このメダルが遊技に使用可能なメダルとしてカウントされ、さらには、メダル出口から排出されてメダルホッパー18へ至るようになっている。
（セレクタブラケット60）
セレクタブラケット60は、メダルセレクター50を前扉12の裏面の所定位置に着脱可能に取り付けるためのものである。
ここで、メダルセレクター50のセレクタケース51における、一方の側面（右側面）には、第１係合部が設けられ、また、他方の側面（左側面）には、第２係合部が設けられている。
【００３７】
また、セレクタブラケット60は、前扉12の裏面の所定位置に固定される固定部61と、固定部61の一端（右端）から後方へ向けて突出する第１突出片62と、メダルセレクター50の第１係合部を係止させるためのものであって第１突出片62に設けた第１被係合部と、固定部61の他端（左端）から後方へ向けて突出する第２突出片63と、メダルセレクター50の第２係合部を係止させるためのものであって第２突出片63に設けた第２被係合部とを有している。
また、セレクタブラケット60の固定部61は、前扉12の裏面の所定位置、具体的には、メダル投入口21の下方に相当する位置に、ビスで固定されている。
【００３８】
そして、メダルセレクター50の第１係合部および第２係合部を、セレクタブラケット60の第１被係合部および第２被係合部に、それぞれ係止させると、メダルセレクター50が、セレクタブラケット60に取り付けられ、ひいては前扉12の裏面の所定位置（メダル投入口21の下方に相当する位置）に取り付けられることとなる。
また、本実施の形態では、第１係合部として、セレクタケース51の右側面から右方向へ向けて突出する円柱状の突起を、同右側面の上端付近および下端付近にそれぞれ１つずつ設けている。
また、本実施の形態では、第２係合部として、セレクタケース51の左側面から左方向へ向けて突出する円柱状の突起を、同左側面の上端付近および下端付近にそれぞれ１つずつ設けている。
【００３９】
また、本実施の形態では、セレクタブラケット60の第１突出片62と第２突出片63との間隔は、セレクタケース51の両側面の間隔とほぼ等しくしてある。
また、本実施の形態では、第１突出片62は、固定部61の一端（右端）から後方へ向けて突出しており剛性を有する剛性部62Aと、剛性部62Aの後端から後方へ向けて突出しており可撓性を有する可撓性部62Bとを有している。
また、本実施の形態では、第１被係合部として、第１突出片62の剛性部62Aの後端であって、第１係合部としての各突起に対応する位置に、円柱状の突起がちょうど嵌る切り欠き62Cをそれぞれ設けており、さらに、この切り欠き62Cを、可撓性部62Bに設けた段部62Dで開閉可能としている。
【００４０】
また、本実施の形態では、第２突出片63は、その全体が剛性を有する。
また、本実施の形態では、第２被係合部として、第２突出片63における、第２係合部としての各突起に対応する位置に、円柱状の突起がちょうど嵌る円孔をそれぞれ設けている。
そして、本実施の形態では、まず、第２係合部としての各突起を、第２被係合部としての各円孔にそれぞれ嵌め、次に、第２突出片63とは反対方向へ変位させるように（あるいは第１突出片62と第２突出片63との間隔を押し広げるように）第１突出片62の可撓性部62Bをたわませて、第１被係合部としての切り欠き62Cを開放し、この状態で、第１係合部としての各突起を、第１被係合部としての各切り欠き62Cにそれぞれ嵌め、最後に、第１突出片62の可撓性部62Bを元の状態に戻して、第１被係合部としての切り欠き62Cを、可撓性部62Bに設けた段部62Dで塞ぐ。そうすると、メダルセレクター50の第１係合部および第２係合部が、セレクタブラケット60の第１被係合部および第２被係合部に、それぞれ係止され、これにより、メダルセレクター50が、セレクタブラケット60に取り付けられ、ひいては前扉12の裏面の所定位置（メダル投入口21の下方に相当する位置）に取り付けられることとなる。
【００４１】
一方、メダルセレクター50をセレクタブラケット60に取り付けた状態で、第２突出片63とは反対方向へ変位させるように（あるいは第１突出片62と第２突出片63との間隔を押し広げるように）第１突出片62の可撓性部62Bをたわませて、第１被係合部としての切り欠き62Cの後側の開口部を開放すると、第１係合部としての各突起を、第１被係合部としての各切り欠き62Cからそれぞれ抜くことができ、これにより、メダルセレクター50を、セレクタブラケット60から取り外すことができ、ひいては前扉12の裏面の所定位置（メダル投入口21の下方に相当する位置）から取り外すことができる。
このように、前扉12の裏面の所定位置にセレクタブラケット60が固定されるとともに、このセレクタブラケット60にメダルセレクター50が着脱可能に取り付けられることにより、前扉12の裏面の所定位置にメダルセレクター50が着脱可能に取り付けられるようになっている。
【００４２】
なお、メダルセレクター50が前扉12の裏面の所定の取付位置に取り付けられた状態では、メダルセレクター50のセレクタケース51およびセレクタカバー53の下端とメダルシュート70の上端との間に、わずかな隙間が形成され、この隙間に、不正防止部材80が装着されることとなる。
（メダルホッパー18）
メダルホッパー18は、メダルセレクター50により所定の規格に適合するとされたメダルを貯留するとともに、所定の条件に基づいて、貯留しているメダルを払い出すためのものであって、筐体11の内部に配置され、底板の上面中央に固定されている。
【００４３】
また、メダルホッパー18は、メダルを貯留するためのメダルタンクと、メダルタンクに貯留されているメダルを払い出すための払出機構とを備えている。そして、払出機構によって払い出されたメダルは、メダル払出口26から排出されるようになっている。
（メダル払出口26）
メダル払出口26は、メダルホッパー18から払い出されたメダルが排出される開口部であって、前扉12におけるメダル投入口21よりも下方の所定位置に、具体的には、前扉12の下部中央に、前扉12を前後に貫通するように設けられている。
（メダルシュート70）
メダル返却通路は、メダルセレクター50により所定の規格に適合しないとして排除されたメダルを受け入れてメダル払出口26まで誘導する通路である。そして、メダルシュート70は、このようなメダル返却通路を形成するためのものである。
【００４４】
具体的には、本実施の形態では、メダルシュート70は、前扉12の裏面における、メダルセレクター50からメダル払出口26にかけての位置に、前扉12の裏面に沿うようにして取り付けられている。また、メダルシュート70は、長手方向に直交する断面がほぼ「コ」字形あるいは「Ｕ」字形に形成されている。そして、メダルシュート70が前扉12の裏面における所定の位置に取り付けられると、メダルシュート70と前扉12との間に、メダル返却通路が形成される。また、メダル返却通路は、メダルセレクター50からメダル払出口26まで至る。具体的には、メダル返却通路の上端は、メダルセレクター50付近に位置し、そこにはメダルセレクター50から排除されたメダルを受け入れる開口部が設けられている。また、メダル返却通路の下端は、メダル払出口26に連通している。また、メダル返却通路は、上端から下端へ向かうにしたがって高さが次第に低くなるように形成されている。これにより、メダルセレクター50から排除されたメダル、すなわちメダルセレクター50にて所定の規格に適合しないとされたメダル、およびメダル投入不可に設定されているときにメダル投入口21から投入されて強制的に排除されたメダルは、メダル返却通路によって、メダル払出口26まで誘導される。
【００４５】
ここで、メダルシュート70における、メダル返却通路側の面を内面とし、メダル返却通路とは反対側の面を外面とする。また、メダルシュート70から見て、メダル返却通路側を、メダルシュート70の内方とする。
また、メダルシュート70は、その上部から順に、鉛直下方へ向けて延びるシュート鉛直部71と、シュート鉛直部71の下端から左斜め下方へ向けて延びるシュート傾斜部72とを有している。
また、シュート鉛直部71は、前扉12の裏面と所定間隔をあけつつ前扉12の裏面と対向するように配置される鉛直背板部71Aと、鉛直背板部71Aの右端から前方へ向けて延びて前扉12の裏面まで至る鉛直右側板部71Bと、鉛直背板部71Aの左端から前方へ向けて延びて前扉12の裏面まで至る鉛直左側板部71Cとを有している。
【００４６】
また、シュート傾斜部72は、前扉12の裏面と所定間隔をあけつつ前扉12の裏面と対向するように配置される傾斜背板部72Aと、傾斜背板部72Aの右端から前方へ向けて延びて前扉12の裏面まで至る傾斜右側板部72Bと、傾斜背板部72Aの左端から前方へ向けて延びて前扉12の裏面まで至る傾斜左側板部72Cとを有している。
また、シュート傾斜部72の下部には、メダルホッパー18から払い出されたメダルをメダル払出口26へ誘導するための払出メダル誘導部73が連設されている。
また、本実施の形態では、メダルシュート70は、前扉12の裏面にビスで固定されており、この固定用のビスを外さない限り、前扉12の裏面からメダルシュート70を取り外すことはできないようになっている。
【００４７】
（不正防止部材80）
不正防止部材80は、メダル払出口26からメダル返却通路内へ挿入された長尺の部材がメダルセレクター50とメダルシュート70との間からメダル返却通路外へ侵出するのを阻止するためのものであって、メダルセレクター50とメダルシュート70との間に設けられている。
また、不正防止部材80は、メダルセレクター50の下端とメダルシュート70の上端との間に配置されてこれらに挟まれる天板部81と、天板部81からメダルシュート70の内方かつ下方へ向けて斜めに延びる返し部82と、天板部81からメダルシュート70の外面に沿うようにして下方へ向けて延びる係止部83と、天板部81および係止部83の所定位置からリセットスイッチ44方向へ向けて突出する連結部84と、リセットスイッチ44を覆うためのものであって連結部84における天板部81および係止部83とは反対側の端部に設けられている覆い部85とを有している。
【００４８】
具体的には、本実施の形態では、天板部81は、メダルシュート70の鉛直背板部71Aに対応する板状の天板背側部81Aと、同鉛直右側板部71Bに対応する板状の天板右側部81Bと、同鉛直左側板部71Cに対応する板状の天板左側部81Cとを有している。また、天板部81（天板背側部81A、天板右側部81Bおよび天板左側部81C）の上下方向の厚さは、メダルセレクター50のセレクタケース51およびセレクタカバー53の下端とメダルシュート70の上端との間隔とほぼ等しくしてある。これにより、メダルシュート70の上端に不正防止部材80を装着するとともに、前扉12の裏面の所定位置にメダルセレクター50を装着した状態では、天板部81（天板背側部81A、天板右側部81Bおよび天板左側部81C）は、メダルセレクター50のセレクタケース51およびセレクタカバー53の下端とメダルシュート70の上端とに挟まれるようになっている。
【００４９】
また、天板背側部81Aは、メダルシュート70の鉛直背板部71Aの上端とメダルセレクター50のセレクタカバー53の下端との間に配置されてこれらに挟まれる部分である。
また、天板右側部81Bは、メダルシュート70の鉛直右側板部71Bの上端とメダルセレクター50のセレクタケース51の右側面の下端との間に配置されてこれらに挟まれる部分である。
また、天板左側部81Cは、メダルシュート70の鉛直左側板部71Cの上端とメダルセレクター50のセレクタケース51の左側面の下端との間に配置されてこれらに挟まれる部分である。
【００５０】
また、返し部82は、天板背側部81Aから前斜め下方へ向けて延びる板状の返し背側部82Aと、天板右側部81Bから左斜め下方へ向けて延びる板状の返し右側部82Bと、天板左側部81Cから右斜め下方へ向けて延びる板状の返し左側部82Cとを有している。また、返し背側部82Aと返し右側部82Bとは、隙間なく連続して形成され、また、返し背側部82Aと返し左側部82Cとも、隙間なく連続して形成されている。
また、係止部83は、天板背側部81Aからメダルシュート70の鉛直背板部71Aの外面に沿うようにして下方へ向けて延びる板状の係止背側部83Aと、天板右側部81Bからメダルシュート70の鉛直右側板部71Bの外面に沿うようにして下方へ向けて延びる板状の係止右側部83Bと、天板左側部81Cからメダルシュート70の鉛直左側板部71Cの外面に沿うようにして下方へ向けて延びる板状の係止左側部83Cとを有している。
【００５１】
また、覆い部85は、リセットスイッチ44を覆うためのものである。具体的には、覆い部85は、リセットスイッチ44のメダルセレクター50側（左側）を覆う板状の覆いセレクタ側部85Aと、リセットスイッチ44の上側を覆う板状の覆い上側部85Bと、リセットスイッチ44の前側を覆う板状の覆い前側部85Cと、リセットスイッチ44の後側を覆う板状の覆い後側部85Dとを有している。覆い上側部85Bの後端から下方へ向けて突出するように覆い後側部85Dが連設されるとともに、覆い上側部85Bの前端から下方へ向けて突出するように覆い前側部85Cが連設され、さらには、覆い前側部85C、覆い上側部85Bおよび覆い後側部85Dのメダルセレクター50側（左側）の端部に、覆いセレクタ側部85Aが連設されている。このような形状の覆い部85により、リセットスイッチ44は、前方、上方、後方およびメダルセレクター50側（左側）の四方を覆われるようになっている。さらに、覆い部85は、リセットスイッチ44のみならず、スイッチ操作部材45の遮光片46、およびその摺動範囲をも覆うように形成されている。
【００５２】
また、連結部84は、天板部81および係止部83と覆い部85とを連結するためのものである。つまり、天板部81および係止部83の所定位置からリセットスイッチ44方向へ向けて突出するように連結部84が設けられ、この連結部84の先端（天板部81および係止部83とは反対側の端部）に、覆い部85が設けられている。
具体的には、不正防止部材80は、連結部84として、天板右側部81Bと覆いセレクタ側部85Aとを連結する板状の上連結部84Aと、係止背側部83Aと覆いセレクタ側部85Aとを連結する板状の後連結部84Bと、係止右側部83Bと覆いセレクタ側部85Aとを連結する板状の前連結部84Cとを有している。
【００５３】
さらに、不正防止部材80は、係止右側部83Bと覆いセレクタ側部85Aとを連結するとともに前連結部84Cとも連結されている板状の前補強リブ84Dを有している。
また、上連結部84Aは、一端（左端）を天板右側部81Bに、他端（右端）を覆いセレクタ側部85Aに、それぞれ連設されており、天板右側部81Bとは同一平面上に連続し、覆いセレクタ側部85Aとは直交している。
また、後連結部84Bは、一端（左端）を係止背側部83Aに、他端（右端）を覆いセレクタ側部85Aに、それぞれ連設されており、係止背側部83Aとは同一平面上に連続し、覆いセレクタ側部85Aとは直交している。
【００５４】
また、前連結部84Cは、一端（左端）を係止右側部83Bに、他端（右端）を覆いセレクタ側部85Aに、それぞれ連設されており、係止右側部83Bとは直交し、覆いセレクタ側部85Aとも直交している。
また、前補強リブ84Dは、一端（左端）を係止右側部83Bの下端に、他端（右端）を覆いセレクタ側部85Aの下端に、それぞれ連設されており、さらには、後端を前連結部84Cの下端に連設されている。また、前補強リブ84Dは、係止右側部83Bとは直交し、覆いセレクタ側部85Aとも直交し、さらには、前連結部84Cとも直交している。
（不正防止部材80の着脱方法）
まず、メダルセレクター50を取り外した状態で、メダルシュート70の上端に被せるようにして、不正防止部材80を載置する。具体的には、天板部81をメダルシュート70の上端上に、返し部82をメダルシュート70の内方に、係止部83をメダルシュート70の外側に、それぞれ位置させるようにして、不正防止部材80を載置する。そうすると、覆い部85が、リセットスイッチ44、スイッチ操作部材45の遮光片46、およびその摺動範囲を覆うこととなる。
【００５５】
次に、メダルセレクター50を、セレクタブラケット60に取り付けることにより、前扉12の裏面の所定位置に取り付ける。そうすると、不正防止部材80の天板部81が、メダルセレクター50のセレクタケース51およびセレクタカバー53の下端とメダルシュート70の上端とに挟まれる。これにより、不正防止部材80は、ビスなどの固定手段を用いることなく、その移動を規制される。
一方、セレクタブラケット60からメダルセレクター50を取り外せば、あとは持ち上げるだけで、メダルシュート70から不正防止部材80を取り外すことができる。
（作用・効果）
本実施の形態によれば、メダルセレクター50とメダルシュート70との間に、メダル払出口26からメダル返却通路内へ挿入された長尺の部材がメダルセレクター50とメダルシュート70との間からメダル返却通路外へ侵出するのを阻止するための不正防止部材80を設けたことから、メダル払出口26からメダル返却通路内へ長尺の部材を挿入されても、その先端がメダルセレクター50とメダルシュート70との間からメダル返却通路外へ侵出するのを、不正防止部材80によって阻止されるので、メダルセレクター50やリセットスイッチ44等に対して行われる不正行為を防止できる。
【００５６】
また、不正防止部材80に、メダルセレクター50の下端とメダルシュート70の上端との間に配置されてこれらに挟まれる天板部81と、天板部81からメダルシュート70の内方かつ下方へ向けて斜めに延びる返し部82と、天板部81からメダルシュート70の外面に沿うようにして下方へ向けて延びる係止部83とを設けたことから、メダル払出口26からメダル返却通路内へ挿入された長尺の部材の先端が、不正防止部材80の返し部82に突き当たり、ひいてはメダルシュート70と不正防止部材80の返し部82との間にトラップされるので、メダルセレクター50やリセットスイッチ44等に対して行われる不正行為をより確実に防止できる。
加えて、返し部82と係止部83とで、メダルシュート70の上端付近を内側および外側から挟むようになるので、不正防止部材80は、ビスなどの固定手段を用いることなく、その水平方向の移動を規制される。そして、天板部81が、メダルセレクター50の下端とメダルシュート70の上端とに挟まれると、不正防止部材80は、ビスなどの固定手段を用いることなく、その垂直方向（上下方向）の移動も規制される。ここで、不正行為を試みる者が、メダル払出口26からメダル返却通路内へ長尺の部材を挿入し、不正防止部材80に対して垂直方向（上下方向）の応力を加えて、メダルセレクター50とメダルシュート70との間から不正防止部材80を外そうとしても、メダルセレクター50がセレクタブラケット60に固定されていることから、不正防止部材80の垂直方向（上下方向）への移動が規制されるが、仮にこのような行為によりセレクタブラケット60が破壊されて、メダルセレクター50が移動可能になったとしても、メダル投入口21が前扉12に固定されているとともに、メダルセレクター50の上部がメダル投入口21の下部に当接していることから、メダルセレクター50が垂直方向（上下方向）に移動することが規制されるので、結果として不正防止部材80が垂直方向（上下方向）に移動することはない。
【００５７】
また、不正防止部材80に、リセットスイッチ44を覆う覆い部85を設けたことから、リセットスイッチ44に対して行われる不正行為をより確実に防止できる。
また、覆い部85は、連結部84のみで天板部81および係止部83に支持されていることから、連結部84が折られてしまうと脱落してしまうが、連結部84として、天板右側部81Bと覆いセレクタ側部85Aとを連結する板状の上連結部84Aと、係止背側部83Aと覆いセレクタ側部85Aとを連結する板状の後連結部84Bと、係止右側部83Bと覆いセレクタ側部85Aとを連結する板状の前連結部84Cとを設けるとともに、係止右側部83Bと覆いセレクタ側部85Aとを連結するとともに前連結部84Cとも連結されている板状の前補強リブ84Dを前連結部84Cに対して直交するように設けたことから、たとえ不正行為が行われたとしても、連結部84が折られにくく、ひいては脱落しにくくなっている。
【００５８】
また、メダルシュート70の内面に、斜め下方へ向けて突出する、いわゆるネズミ返しを設けた遊技機は、背景技術の特許文献１で示したように、従来から知られているが、メダルシュート70は、射出成型により一体成型されることが多い部材であるところ、メダルシュート70の側板の内面から斜め下方へ向けて突出するネズミ返しを射出成型により一体成型することは可能であったが、メダルシュート70の背板の内面から斜め下方へ向けて突出するネズミ返しを射出成型により一体成型することは技術的に困難であった。本実施の形態では、返し部82として、天板背側部81Aから前斜め下方へ向けて延びる板状の返し背側部82Aを設けていることから、長尺の部材の先端がメダルセレクター50とメダルシュート70との間からメダル返却通路外へ侵出するのを阻止する効果が高い。
【００５９】
（他の実施の形態）
なお、例えば、図９に示すように、メダルセレクター50のセレクタカバー53に、不正防止部材80を後側から押える押さえ片90を設けることができる。
具体的には、例えば、セレクタカバー53の背面に、２つの押さえ片90を横並びに設け、各押さえ片90は、セレクタカバー53の背面から後方へ向けて延びる後方延出部91と、後方延出部91の後端から下方へ向けて延びる押さえ部92とを有するものとする。そして、不正防止部材80の係止背側部83Aを、後方から押さえるようにすることができる。
そうすると、たとえ不正行為が行われたとしても、不正防止部材80の水平方向（特に後方）のズレをより確実に防止でき、ひいては長尺の部材の先端がメダルセレクター50とメダルシュート70との間からメダル返却通路外へ侵出するのをより確実に阻止できる。
【００６０】
また、不正防止部材80を水平方向（特に後方）に強引に移動させると、この移動に伴ってメダルセレクター50に無理な応力が伝わることから、メダル投入口21に対するメダルセレクター50の位置がずれて、メダル投入口21の排出口とメダルセレクター50のメダル入口とが合致しなくなる、あるいはメダルセレクター50本来の性能が機能しなくなるなどして、メダル投入口21からメダルを投入して遊技を行うことが不可能になったり、また、メダル投入口21に対するメダルセレクター50の位置がずれて、メダル投入口21の排出口とメダルセレクター50のメダル入口とが合致しなくなることにより、クレジットメダルカウント手段のカウント値を不正に加算させる「クレ満」などと呼ばれる不正器具を、メダル投入口21から挿入してメダルセレクター50のメダル検出手段まで到達させることが不可能になったりするが、これにより不正行為を牽制することも可能である。
【００６１】
また、不正防止部材80の返し部82の一部を、メダルシュート70の内面に沿った形状にすることができる。具体的には、例えば、返し部82のうち、返し右側部82Bを、メダルシュート70の内面に沿って下方へ向けて延びる板状に形成することができる。また、例えば、返し背側部82Aの上部を、メダルシュート70の内面に沿って下方へ向けて延びる板状に形成するとともに、返し背側部82Aの下部を、メダルシュート70の内方かつ下方へ向けて斜めに延びる板状に形成することができる。そうすると、返し部82のうちメダルシュート70の内面に沿った形状の部分と係止部83とで、メダルシュート70の上端付近を内側および外側からぴったりと挟むようになるので、メダルシュート70に対する不正防止部材80のズレやガタツキをより確実に防止できる。
【符号の説明】
【００６２】
10  スロットマシン                   11  筐体
12  前扉                             13  上パネル
14  下パネル                         15  図柄表示窓
16  リールユニット                   17  回転リール
18  メダルホッパー                   20  操作部
21  メダル投入口                     22  ベットスイッチ
23  キャンセルスイッチ               24  スタートスイッチ
25  ストップスイッチ                 26  メダル払出口
27  メダル受け皿
30  受金具                           31  係合片
40  施錠装置                         41  支持部材
42  スライド部材                     43  フック
44  リセットスイッチ                 45  スイッチ操作部材
46  遮光片                           47  シリンダ錠
48  カム
50  メダルセレクター                 51  セレクタケース
52  ゲートプレート                   53  セレクタカバー
60  セレクタブラケット               61  固定部
62  第１突出片                       62A 剛性部
62B 可撓性部                         62C 切り欠き
62D 段部                             63  第２突出片
70  メダルシュート                   71  シュート鉛直部
71A 鉛直背板部                       71B 鉛直右側板部
71C 鉛直左側板部                     72  シュート傾斜部
72A 傾斜背板部                       72B 傾斜右側板部
72C 傾斜左側板部                     73  払出メダル誘導部
80  不正防止部材                     81  天板部
81A 天板背側部                       81B 天板右側部
81C 天板左側部                       82  返し部
82A 返し背側部                       82B 返し右側部
82C 返し左側部                       83  係止部
83A 係止背側部                       83B 係止右側部
83C 係止左側部                       84  連結部
84A 上連結部                         84B 後連結部
84C 前連結部                         84D 前補強リブ
85  覆い部                           85A 覆いセレクタ側部
85B 覆い上側部                       85C 覆い前側部
85D 覆い後側部
90  押さえ片                         91  後方延出部
92  押さえ部
【図１】
2010246827.tif 000003
【図２】
2010246827.tif 000004
【図３】
2010246827.tif 000005
【図４】
2010246827.tif 000006
【図５】
2010246827.tif 000007
【図６】
2010246827.tif 000008
【図７】
2010246827.tif 000009
【図８】
2010246827.tif 000010
【図９】
2010246827.tif 000011